(57)【要約】【課題】従来よりも効率的な用紙設定の表示を可能にすることで、用紙設定の煩雑さを低減する画像形成装置を提供する。【解決手段】  複数種類の画像形成用の用紙を収納可能な給紙トレイと、表示部と、ユーザーからの操作を受け付ける操作部と、画像を形成する画像形成部と、前記表示部、前記操作部および前記画像形成部を制御する制御部とを備え、前記制御部は、前記用紙の予め定められた複数の分類を前記表示部に選択可能に表示させ、前記操作部によって選択された一の分類に含まれる用紙の種類を前記表示部に選択可能に表示させ、前記操作部によって選択された一の種類の用紙に、前記画像形成部に画像を形成させることを特徴とする画像形成装置。【選択図】図５
2020138441.tif 000002
【特許請求の範囲】
【請求項１】
複数種類の画像形成用の用紙を収納可能な給紙トレイと、
表示部と、
ユーザーからの操作を受け付ける操作部と、
画像を形成する画像形成部と、
前記表示部、前記操作部および前記画像形成部を制御する制御部とを備え、
前記制御部は、前記用紙の予め定められた複数の分類を前記表示部に選択可能に表示させ、前記操作部によって選択された一の分類に含まれる用紙の種類を前記表示部に選択可能に表示させ、前記操作部によって選択された一の種類の用紙に、前記画像形成部に画像を形成させることを特徴とする画像形成装置。
【請求項２】
前記用紙の分類は、予め定められた用紙のタイプに係る分類を含み、
前記制御部は、前記操作部が前記用紙のタイプに係る一の分類の選択を受け付けた場合、前記操作部によって選択された一の分類に含まれる用紙の種類を前記表示部に選択可能に表示させる請求項１に記載の画像形成装置。
【請求項３】
前記用紙の分類は、予め定められた用紙のサイズに係る分類を含み、
前記制御部は、前記操作部が前記用紙のサイズに係る一の分類の選択を受け付けた場合、前記操作部によって選択された一の分類に含まれる用紙の種類を前記表示部に選択可能に表示させる請求項１または２に記載の画像形成装置。
【請求項４】
前記給紙トレイに収納された用紙の有無を検知する用紙検知センサをさらに備え、
前記制御部は、前記用紙検知センサが前記給紙トレイに収納された用紙を検知した場合、前記給紙トレイに収容可能な用紙の種類を前記表示部に選択可能に表示させる請求項１〜３のいずれか１つに記載の画像形成装置。
【請求項５】
前記給紙トレイに収納された用紙のサイズを検知する用紙サイズ検知センサをさらに備え、
前記制御部は、前記用紙サイズ検知センサが検知した用紙のサイズに基づき、表示が必要であると判定した種類の用紙を前記表示部に選択可能に表示させる請求項１〜４のいずれか１つに記載の画像形成装置。
【請求項６】
前記制御部は、前記操作部が受け付けた前記用紙の分類の選択結果に基づき、表示が必要であると判定した種類の用紙を、予め定められた優先順位にしたがって前記表示部に選択可能に表示させる請求項１〜５のいずれか１つに記載の画像形成装置。
【請求項７】
前記給紙トレイは、封筒またはハガキを収納可能である請求項１〜６のいずれか１つに記載の画像形成装置。
【請求項８】
複数種類の画像形成用の用紙を収納可能な給紙トレイと、画像を形成する画像形成部とを備えた画像形成装置の画像形成方法であって、
表示ステップと、
ユーザーからの操作を受け付ける操作ステップと、
画像を形成する画像形成ステップとを有し、
前記表示ステップにおいて、前記用紙の予め定められた分類を選択可能に表示し、前記操作ステップにおいて選択された一の分類に含まれる用紙の種類を選択可能に表示し、前記操作ステップにおいて選択された一の種類の用紙に、前記画像ステップにおいて画像を形成することを特徴とする画像形成方法。
【発明の詳細な説明】
【技術分野】
【０００１】
この発明は、画像形成装置および画像形成方法に関する。
【背景技術】
【０００２】
プリンタなどの複写（コピー機能）機能を有する複写機や複写以外の機能をも含むＭＦＰ（Multifunction Peripheral：多機能周辺装置）等の画像形成装置には、異なる種類のサイズおよびタイプの用紙を収容可能な給紙トレイを備えたものがある。
このような画像形成装置において、ユーザーは操作パネルの用紙設定画面において、所望のサイズおよびタイプの用紙を選択して、印刷を開始するのが一般的である。
【０００３】
従来、このような用紙設定に係る発明として、標準画面において用紙選択キーが押下された場合に、［用紙選択］画面が表示され、手差しトレイにセットされている用紙（サイズ／タイプ／残量）表示を行うデジタル複合機の発明が開示されている（例えば、特許文献１を参照）。
また、ユーザーが前記表示操作手段を操作して入力した用紙の紙種および／またはサイズ情報を記憶する記憶手段と、前記用紙トレイにセットされた用紙の紙種および／または用紙サイズを推定する推定手段とを備え、前記用紙変更検知手段は、前記推定手段の推定結果と、前記記憶手段に記憶されている用紙のサイズおよび／または紙種とが異なる場合、前記用紙トレイにセットされた用紙のサイズおよび／または紙種が変更されたと検知する画像形成装置の発明が開示されている（例えば、特許文献２を参照）。
【先行技術文献】
【特許文献】
【０００４】
【特許文献１】特開２００１−２３５９７６号公報
【特許文献２】特開２０１５−０８７４７０号公報
【発明の概要】
【発明が解決しようとする課題】
【０００５】
給紙トレイや手差しトレイに用紙をセットした際に、当該トレイに対応したサイズおよびタイプの用紙の設定画面が操作パネルに表示される従来の発明は、設定の手間が省けるため、ユーザーの利便性が高い。
しかしながら、多様なサイズおよびタイプの用紙を収納可能な給紙トレイを備えた画像形成装置の場合、給紙トレイに収納可能なすべてのサイズおよびタイプの用紙の種類を１画面に表示すると、しばしば設定画面が煩雑になり、ユーザーの利便性がかえって低下する問題が生じることがあった。
【０００６】
この発明は、以上のような事情を考慮してなされたものであって、その目的は、従来よりも効率的な用紙設定の表示を可能にすることで、用紙設定の煩雑さを低減してユーザーの利便性の高い画像形成装置および画像形成方法を提供することにある。
【課題を解決するための手段】
【０００７】
（１）この発明は、複数種類の画像形成用の用紙を収納可能な給紙トレイと、表示部と、ユーザーからの操作を受け付ける操作部と、画像を形成する画像形成部と、前記表示部、前記操作部および前記画像形成部を制御する制御部とを備え、前記制御部は、前記用紙の予め定められた複数の分類を前記表示部に選択可能に表示させ、前記操作部によって選択された一の分類に含まれる用紙の種類を前記表示部に選択可能に表示させ、前記操作部によって選択された一の種類の用紙に、前記画像形成部に画像を形成させることを特徴とする画像形成装置を提供するものである。
また、この発明は、複数種類の画像形成用の用紙を収納可能な給紙トレイと、画像を形成する画像形成部とを備えた画像形成装置の画像形成方法であって、表示ステップと、ユーザーからの操作を受け付ける操作ステップと、画像を形成する画像形成ステップとを有し、前記表示ステップにおいて、前記用紙の予め定められた分類を選択可能に表示し、前記操作ステップにおいて選択された一の分類に含まれる用紙の種類を選択可能に表示し、前記操作ステップにおいて選択された一の種類の用紙に、前記画像ステップにおいて画像を形成することを特徴とする画像形成方法を提供するものである。
【０００８】
この発明において、「画像形成装置」は、例えば、トナーによる像形成に電子写真方式を用いるプリンタなどの複写（コピー機能）機能を有する複写機や複写以外の機能をも含むＭＦＰ（Multifunction Peripheral：多機能周辺装置）など、画像を形成して出力する装置である。
「複数種類の画像形成用の用紙」は、Ａ４サイズやＢ５サイズなどのサイズの異なる用紙、普通紙や厚紙などの厚みの異なる用紙、光沢紙やインクジェット用の用紙などの紙質の異なる用紙などである。
「給紙トレイ」は、画像形成用の用紙を収納可能なトレイであり、手差しトレイであってもよい。
「予め定められた用紙の分類」は、例えば、「封筒」や「はがき」、「インチ系」など、予め定められた用紙の分類である。
【０００９】
この発明の「操作部」は、操作パネル１６によって実現される。また、この発明の「表示部」は、表示操作部１６１によって実現される。
【発明の効果】
【００１０】
この発明によれば、ユーザーが選択した用紙の分類の選択結果に基づき、表示が必要であると判定した種類の用紙を設定画面に表示するため、従来よりも効率的な用紙設定の表示が可能になり、用紙設定の煩雑さを低減してユーザーの利便性の高い画像形成装置および画像形成方法を実現できる。
【００１１】
さらに、この発明の好ましい態様について説明する。
【００１２】
（２）この発明による画像形成装置において、前記用紙の分類は、予め定められた用紙のタイプに係る分類を含み、前記制御部は、前記操作部が前記用紙のタイプに係る一の分類の選択を受け付けた場合、前記操作部によって選択された一の分類に含まれる用紙の種類を前記表示部に選択可能に表示させるものであってもよい。
【００１３】
「予め定められた用紙のタイプに係る分類」は、例えば、「封筒」や「はがき」、「写真用紙」などの用紙の用途に基づき、予め定められた分類や、「厚紙」や「光沢紙」、など、用紙の種別に基づき、予め定められた分類である。
【００１４】
このようにすれば、ユーザーが選択した用紙タイプの選択結果に基づき、表示が必要であると判定した種類の用紙を設定画面に表示するため、従来よりも効率的な用紙設定の表示が可能になり、用紙設定の煩雑さを低減してユーザーの利便性の高い画像形成装置を実現できる。
【００１５】
（３）この発明による画像形成装置において、前記用紙の分類は、予め定められた用紙のサイズに係る分類を含み、前記制御部は、前記操作部が前記用紙のサイズに係る一の分類の選択を受け付けた場合、前記操作部によって選択された一の分類に含まれる用紙の種類を前記表示部に選択可能に表示させるものであってもよい。
【００１６】
「予め定められた用紙のサイズに係る分類」は、例えば、「日本規格の用紙サイズ」や「欧米規格の用紙サイズ」、「封筒サイズ」など、用紙のサイズに基づき、予め定められた分類である。
【００１７】
このようにすれば、ユーザーが選択した用紙サイズの選択結果に基づき、表示が必要であると判定した種類の用紙を設定画面に表示するため、従来よりも効率的な用紙設定の表示が可能になり、用紙設定の煩雑さを低減してユーザーの利便性の高い画像形成装置を実現できる。
【００１８】
（４）この発明による画像形成装置において、前記給紙トレイに収納された用紙の有無を検知する用紙検知センサをさらに備え、前記制御部は、前記用紙検知センサが前記給紙トレイに収納された用紙を検知した場合、前記給紙トレイに収容可能な用紙の種類を前記表示部に選択可能に表示させるものであってもよい。
【００１９】
このようにすれば、給紙トレイが収納可能な用紙の種類に基づき、表示が必要であると判定した種類の用紙を設定画面に表示するため、従来よりも効率的な用紙設定の表示が可能になり、用紙設定の煩雑さを低減してユーザーの利便性の高い画像形成装置を実現できる。
【００２０】
（５）この発明による画像形成装置において、前記給紙トレイに収納された用紙のサイズを検知する用紙サイズ検知センサをさらに備え、前記制御部は、前記用紙サイズ検知センサが検知した用紙のサイズに基づき、表示が必要であると判定した種類の用紙を前記表示部に選択可能に表示させるものであってもよい。
【００２１】
このようにすれば、給紙トレイに収納された用紙サイズの検知結果に基づき、表示が必要であると判定した種類の用紙を設定画面に表示するため、従来よりも効率的な用紙設定の表示が可能になり、用紙設定の煩雑さを低減してユーザーの利便性の高い画像形成装置を実現できる。
【００２２】
（６）この発明による画像形成装置において、前記操作部が受け付けた前記用紙の分類の選択結果に基づき、表示が必要であると判定した種類の用紙を、予め定められた優先順位にしたがって前記表示部に選択可能に表示させるものであってもよい。
【００２３】
このようにすれば、ユーザーが選択した用紙の分類の選択結果に基づき、表示が必要であると判定した種類の用紙を予め定められた優先順位にしたがって並べ替えて設定画面に表示するため、従来よりも効率的な用紙設定の表示が可能になり、用紙設定の煩雑さを低減してユーザーの利便性の高い画像形成装置を実現できる。
【００２４】
（７）この発明による画像形成装置において、前記給紙トレイは、封筒またはハガキを収納可能であってもよい。
【００２５】
このようにすれば、封筒またはハガキを収納可能な給紙トレイを備えた画像形成装置において、ユーザーが選択した用紙の分類の選択結果に基づき、表示が必要であると判定した種類の用紙を設定画面に表示するため、従来よりも効率的な用紙設定の表示が可能になり、用紙設定の煩雑さを低減してユーザーの利便性の高い画像形成装置を実現できる。
【図面の簡単な説明】
【００２６】
【図１】この発明の実施形態１に係るデジタル複合機の外観を示す斜視図である。
【図２】図１のデジタル複合機の平面図である。
【図３】図１のデジタル複合機のパネルユニットを示す説明図である。
【図４】図１のデジタル複合機の概略構成を示すブロック図である。
【図５】図１のデジタル複合機による用紙設定処理の概要を示すフローチャートである。
【図６】図１のデジタル複合機の表示操作部に表示された設定画面の一例を示す説明図である。
【図７】図１のデジタル複合機の表示操作部に表示された設定画面の一例を示す説明図である。
【図８】図１のデジタル複合機の表示操作部に表示された設定画面の一例を示す説明図である。
【図９】図１のデジタル複合機の表示操作部に表示された設定画面の一例を示す説明図である。
【図１０】従来のデジタル複合機の表示操作部に表示された設定画面の一例を示す説明図である。
【図１１】従来のデジタル複合機の表示操作部に表示された設定画面の一例を示す説明図である。
【図１２】この発明の実施形態２に係るデジタル複合機の概略構成を示すブロック図である。
【図１３】図１２のデジタル複合機による用紙設定処理の概要を示すフローチャートである。
【図１４】図１２のデジタル複合機の表示操作部に表示された設定画面の一例を示す説明図である。
【図１５】図１２のデジタル複合機の表示操作部に表示された設定画面の一例を示す説明図である。
【発明を実施するための形態】
【００２７】
以下、図面を用いてこの発明をさらに詳述する。なお、以下の説明は、すべての点で例示であって、この発明を限定するものと解されるべきではない。
【００２８】
〔実施形態１〕
＜画像形成システム１００の概略構成＞
図１〜図４に基づき、この発明の実施形態１に係るデジタル複合機１について説明する。
図１は、この発明の実施形態１に係るデジタル複合機１の外観を示す斜視図である。また、図２は、図１のデジタル複合機１の平面図である。また、図３は、図１のデジタル複合機１の操作パネル１６を示す説明図である。また、図４は、図１のデジタル複合機１の概略構成を示すブロック図である。
【００２９】
この発明の実施形態１に係るデジタル複合機１は、画像データをデジタル処理し、複写機能やスキャナ機能、ファクシミリ機能を有するＭＦＰ（Multifunction Peripheral：多機能周辺装置）などの装置である。
【００３０】
デジタル複合機１は、表示操作部１６１や物理操作部１６２を介して受付けたユーザーからの指示に基づき、スキャナ、印刷、コピーまたは画像送信等のジョブを実行する。
【００３１】
次に、図４に基づき、デジタル複合機１の概略構成を説明する。
図４に示すように、デジタル複合機１は、制御部１０、スキャナ１１、画像形成部１２、メモリ１３、画像処理部１４、用紙搬送部１５、操作パネル１６、用紙検知センサ１７、用紙サイズ検知センサ１８および給紙トレイ１９を備える。
【００３２】
以下、デジタル複合機１の各構成要素を説明する。
【００３３】
制御部１０は、デジタル複合機１を統合的に制御するものであって、ＣＰＵ、ＲＡＭ、ＲＯＭ、各種のインターフェース回路等からなる。
制御部１０は、デジタル複合機１全体の動作をコントロールするために、各センサの検知、モーター、クラッチ、操作パネル１６等、あらゆる負荷の監視・制御を行う。
【００３４】
スキャナ１１は、原稿台に置かれた原稿を検知して読み取り、画像データを生成する部分である。
【００３５】
画像形成部１２は、スキャナ１１によって取得された画像データに基づき、用紙上に画像を形成して出力する部分であり、出力制御部１２０、現像部１２１、転写部１２２および定着部１２３を備える。
【００３６】
出力制御部１２０は、現像部１２１、転写部１２２および定着部１２３を制御して、コピー等の出力制御を行う部分である。
【００３７】
現像部１２１は、帯電器により所定の電位に帯電した感光体ドラム上に形成された静電潜像にトナーを供給して顕像化する部分である。
【００３８】
転写部１２２は、感光体ドラム表面に形成されたトナー像を用紙搬送部１５によって搬送された用紙上に転写する部分である。
【００３９】
定着部１２３は、転写部１２２により画像が転写された用紙を加圧・加熱により定着する部分である。
【００４０】
メモリ１３は、デジタル複合機１の各種機能を実現するために必要な情報や、制御プログラムなどを記憶する素子や記憶媒体である。例えば、ＲＡＭやＲＯＭ等の半導体素子、ハードディスク、フラッシュ記憶部、ＳＳＤ等の記憶媒体が用いられる。
なお、データを保持する領域がハードディスクドライブで、プログラムを保持する領域がフラッシュ記憶部で構成するといったように、プログラムとデータが異なる装置に保持されてもよい。
【００４１】
画像処理部１４は、スキャナ１１によって読み取られた原稿画像を適正な電気信号に変換して画像データを生成し、スキャナ１１から入力された画像データを表示操作部１６１からの指令に従い、拡大・縮小等の出力に適するように処理を行う部分である。
【００４２】
用紙搬送部１５は、給紙カセットおよび手差トレイに格納された用紙を、所定の搬送路を経由して画像形成部１２まで搬送する部分である。また、画像形成部１２によって画像が形成された用紙を、所定の搬送路を経由して排紙トレイに排出する部分である。
【００４３】
操作パネル１６は、液晶ディスプレイ（Liquid Crystal Display）を備えたユニットであり、表示操作部１６１および物理操作部１６２を備える。
【００４４】
表示操作部１６１は、各種情報の表示を行う部分である。表示操作部１６１は、例えば、ＣＲＴディスプレイ、液晶ディスプレイ、ＥＬディスプレイなどで構成され、オペレーティングシステムやアプリケーションソフトウェアが処理状態など電子的なデータを表示するためのモニタやラインディスプレイなどの表示装置である。制御部１０は、表示操作部１６１を通じて、デジタル複合機１の動作および状態の表示を行う。
また、表示操作部１６１は、タッチパネルを備え、ユーザーからの指令を受け付ける部分でもある。
【００４５】
物理操作部１６２は、ＯＫキーおよび電源キーを備える。
【００４６】
用紙検知センサ１７は、給紙トレイ１９または原稿台に設置された原稿用紙の有無を検知するセンサである。
また、用紙検知センサ１７は、用紙の変更を検知することもできる。
【００４７】
用紙サイズ検知センサ１８は、給紙トレイ１９または原稿台に設置された原稿用紙のサイズを検知するセンサである。
【００４８】
給紙トレイ１９は、給紙カセット、手差しトレイ等の画像形成用の用紙を収納するトレイである。
【００４９】
＜この発明の実施形態１に係るデジタル複合機１の用紙設定処理の一例＞
続いて、図５〜図１１に基づき、この発明の実施形態１に係るデジタル複合機１の用紙設定処理の一例について説明する。
図５は、図１のデジタル複合機１による用紙設定処理の概要を示すフローチャートである。また、図６〜図９は、図１のデジタル複合機１の表示操作部１６１に表示された設定画面の一例を示す説明図である。また、図１０および図１１は、従来のデジタル複合機１の表示操作部１６１に表示された設定画面の一例を示す説明図である。
【００５０】
図５において、用紙検知センサ１７が用紙の変更を検知した場合、制御部１０は、ステップＳ１において、当該用紙の変更を検知したトレイに適用可能なすべての用紙サイズおよびタイプを操作パネル１６に表示する（ステップＳ１）。
【００５１】
ここで、「用紙サイズ」とは、Ａ４サイズやＢ５サイズなどの用紙の大きさである。
また、「用紙タイプ」とは、「封筒」や「はがき」、「普通紙」や「厚紙」、「光沢紙」、「インクジェット用紙」などの用紙の種別である。
【００５２】
図６は、用紙検知センサ１７が給紙トレイに用紙を検知した場合、現在設定されている用紙タイプ「普通紙１（６０−８９ｇ／ｍ２）」およびサイズ「自動」を表示した設定画面の一例である。
【００５３】
ユーザーは、用紙タイプまたはサイズを変更する場合、該当するボタンをタッチする。
【００５４】
図６において、「普通紙１（６０−８９ｇ／ｍ２）」ボタンをタッチした場合、図７に示すような用紙タイプの設定画面が表示操作部１６１に表示される。
【００５５】
一方、図６において、「自動」ボタンをタッチした場合、図８に示すような用紙サイズの設定画面が表示操作部１６１に表示される。
【００５６】
図８において、「自動‐ＡＢ系」、「自動‐インチ系」、「サイズ指定」および「封筒」の４種類の用紙サイズの分類が表示されている。
【００５７】
「ＡＢ系」は、日本規格の用紙サイズの分類であり、「インチ系」は、欧米規格の用紙サイズの分類である。
「サイズ指定」は、自動検知に対応していない用紙サイズの分類である。
「封筒」は、封筒に使用されている用紙サイズの分類である。
【００５８】
ユーザーは、所望の用紙サイズの分類を選択した上で、画面右上の「ＯＫ」ボタンをタッチして確定する。
【００５９】
図５のステップＳ２において、操作パネル１６が用紙サイズの選択を受け付けた場合（ステップＳ２）、制御部１０は、ステップＳ３において、用紙タイプが「封筒」タイプであるか否かを判定する（ステップＳ３）。
【００６０】
用紙タイプが「封筒」タイプである場合（ステップＳ３の判定がＹｅｓの場合）、制御部１０は、ステップＳ４において、「封筒」に係る設定のみを表示操作部１６１に表示する（ステップＳ４）。
【００６１】
図９に示すように、封筒に係るサイズ「ＣＯＭ−９」「ＣＯＭ−１０」「Ｍｏｎａｒｃｈ」「ＤＬ」「Ｃ４」「Ｃ５」「洋形２号（Ｃ６）」のみが表示操作部１６１に表示される。
【００６２】
一方、従来のデジタル複合機１において、封筒のサイズを選択しようとする場合、図１０に示すように、最初に多数の用紙タイプの中から「封筒」タイプを選択した後、図１１に示すように、「サイズ」を選択して封筒サイズのリストを表示させる必要があるため、手間がかかる。
【００６３】
次に、図５のステップＳ５において、表示操作部１６１が用紙サイズの選択の確定を受け付けた場合（ステップＳ５）、制御部１０は、設定画面の用紙設定処理を終了する。
【００６４】
一方、ステップＳ３において、用紙タイプが「封筒」でない場合（ステップＳ３の判定がＮｏの場合）、制御部１０は、ステップＳ６において、サイズカテゴリの設定画面を表示操作部１６１に表示する（ステップＳ６）。
【００６５】
次に、図５のステップＳ７において、制御部１０は、表示操作部１６１が「封筒」サイズの用紙の選択を受け付けたか否かを判定する（ステップＳ７）。
【００６６】
表示操作部１６１が「封筒」サイズの用紙の選択を受け付けた場合（ステップＳ７の判定がＹｅｓの場合）、制御部１０は、ステップＳ４において、封筒に係る設定のみを表示操作部１６１に表示する（ステップＳ４）。
【００６７】
一方、表示操作部１６１が「封筒」サイズの用紙の選択を受け付けなかった場合（ステップＳ７の判定がＮｏの場合）、制御部１０は、ステップＳ８において、表示操作部１６１が「定型」サイズの用紙の選択を受け付けたか否かを判定する（ステップＳ８）。
【００６８】
表示操作部１６１が「定型」サイズの用紙の選択を受け付けた場合（ステップＳ８の判定がＹｅｓの場合）、制御部１０は、ステップＳ９において、「定型」サイズに係る設定のみを表示操作部１６１に表示する（ステップＳ９）。
その後、制御部１０は、ステップＳ５の処理を行う（ステップＳ５）。
【００６９】
一方、表示操作部１６１が「定型」サイズの用紙の選択を受け付けなかった場合（ステップＳ８の判定がＮｏの場合）、制御部１０は、ステップＳ１０において、自動検知カテゴリの設定画面を表示操作部１６１に表示する（ステップＳ１０）。
【００７０】
続いて、制御部１０は、ステップＳ１１において、用紙サイズ検知センサ１８に用紙サイズを自動検知させ、自動検知が完了したか否かを判定する（ステップＳ１１）。
【００７１】
自動検知が完了した場合（ステップＳ１１の判定がＹｅｓの場合）、制御部１０は、設定画面の用紙設定処理を終了する。
【００７２】
このように、自動検知された用紙サイズおよび用紙設定画面におけるユーザーの選択結果に基づき、最適な設定画面を表示するため、従来よりも効率的な用紙設定が可能になり、用紙設定の煩雑さを低減し、ユーザーの利便性の高いデジタル複合機１を実現できる。
【００７３】
（実施形態２）
次に、図１２〜図１５に基づき、この発明の実施形態２に係るデジタル複合機１について説明する。
図１２は、この発明の実施形態２に係るデジタル複合機１の概略構成を示すブロック図である。また、図１３は、図１２のデジタル複合機１による用紙設定処理の概要を示すフローチャートである。また、図１４および図１５は、図１２のデジタル複合機１の表示操作部１６１に表示された設定画面の一例を示す説明図である。
【００７４】
図１２に示すように、実施形態２に係るデジタル複合機１は、用紙サイズ検知センサ１８を備えていない以外は、実施形態１に係るデジタル複合機１と同じである。
【００７５】
なお、図１３のステップＳ２１〜Ｓ２５はそれぞれ、図５のステップＳ１〜Ｓ５に対応する。
【００７６】
図１３において、用紙検知センサ１７が用紙の変更を検知した場合、制御部１０は、ステップＳ２１において、当該用紙の変更を検知したトレイに適用可能なすべての用紙サイズおよびタイプを操作パネル１６に表示する（ステップＳ２１）。
【００７７】
図１４は、用紙検知センサ１７が給紙トレイに用紙を検知した場合、現在設定されている用紙タイプ「普通紙１（６０−７９ｇ／ｍ２）」およびサイズ「Ａ４」を表示した設定画面の一例である。
【００７８】
ユーザーは、用紙タイプまたはサイズを変更する場合、該当するボタンをタッチする。
【００７９】
図１４において、「Ａ４」ボタンをタッチした場合、図１５に示すような用紙タイプの設定画面が表示操作部１６１に表示される。
【００８０】
図１３のステップＳ２２において、操作パネル１６が用紙サイズの選択を受け付けた場合（ステップＳ２２）、制御部１０は、ステップＳ２３において、用紙タイプが「封筒」タイプであるか否かを判定する（ステップＳ２３）。
【００８１】
図１３のステップＳ２３において、用紙タイプが「封筒」タイプでない場合（ステップＳ２３の判定がＮｏの場合）、制御部１０は、ステップＳ２６において、全種類のサイズの設定画面を表示操作部１６１に表示する（ステップＳ２６）。
【００８２】
図１５において、「Ａ４」、「Ｂ５」などの全てのサイズに係る用紙サイズの設定画面が表示されている。
ユーザーは、所望の用紙サイズを選択した上で、画面右上の「ＯＫ」ボタンをタッチして確定する。
【００８３】
その後、制御部１０は、ステップＳ２５の処理を行う（ステップＳ２５）。
【００８４】
一方、用紙タイプが「封筒」タイプである場合（ステップＳ２３の判定がＹｅｓの場合）、制御部１０は、ステップＳ２４において、「封筒」に係る設定のみを表示操作部１６１に表示する（ステップＳ２４）。
その後、制御部１０は、ステップＳ２５の処理を行う（ステップＳ２５）。
【００８５】
実施形態１と比べて、実施形態２においては、自動検知種別の設定自体が不要となるため、用紙サイズの変更を受け付けた場合のサイズカテゴリが限定的となる。
そのため、カテゴリ設定画面は表示せず、トレイが給紙可能である定形サイズを一覧したサイズ選択画面を表示することによって、設定変更のステップ数を軽減させている。
【００８６】
その一方で、実施形態１と同様、用紙タイプが「封筒」と設定されているケースにおいては、封筒サイズの選択肢のみを表示させれば十分であるため、定形サイズのうち封筒サイズのみに絞って設定項目を表示させている。
【００８７】
このように、ユーザーの用途に不要な設定項目を表示させず、また、用紙設定画面におけるユーザーの選択結果に基づき、必要な設定画面のみを表示するため、従来よりも効率的な用紙設定が可能になり、用紙設定の煩雑さを低減し、ユーザーの利便性の高いデジタル複合機１を実現できる。
【００８８】
（実施形態３）
実施形態３として、用紙タイプが「はがき」や「写真」である場合、「はがき」や「写真」に係る設定のみを表示させるようにしてもよい。
【００８９】
「はがき」や「写真」に係る設定としては、例えば、所定の厚紙やインクジェット紙などの設定があげられる。
【００９０】
このようにすれば、「はがき」や「写真」以外の不要な設定項目を表示させず、また、用紙設定画面におけるユーザーの選択結果に基づき、必要な設定画面のみを表示するため、従来よりも効率的な用紙設定が可能になり、用紙設定の煩雑さを低減し、ユーザーの利便性の高いデジタル複合機１を実現できる。
【００９１】
（実施形態４）
実施形態４として、自動検知された用紙サイズおよび用紙設定画面におけるユーザーの選択結果に基づき、ユーザーの用途を推定し、当該推定結果に基づいて、設定項目を任意に並び替えるようにしてもよい。
【００９２】
例えば、用紙タイプとして「厚紙」が選択された場合、「はがき」や「写真」に係る設定を優先して設定画面の上位に表示させるようにしてもよい。
【００９３】
このようにすれば、用紙設定画面におけるユーザーの選択結果に基づき、最適な設定画面を表示するため、従来よりも効率的な用紙設定が可能になり、用紙設定の煩雑さを低減し、ユーザーの利便性の高いデジタル複合機１を実現できる。
【００９４】
（実施形態５）
実施形態５として、設定画面で選択された給紙トレイに収容可能な用紙に係る設定項目のみを設定画面に表示するようにしてもよい。
【００９５】
例えば、「普通紙」のみを収容可能な給紙トレイが選択された場合、「普通紙」に係る設定項目のみを設定画面に表示させ、「厚紙」等のその他の用紙に係る設定項目を表示させないようにする。
【００９６】
このようにすれば、用紙設定画面におけるユーザーの給紙トレイの選択結果に基づき、最適な設定画面を表示するため、従来よりも効率的な用紙設定が可能になり、用紙設定の煩雑さを低減し、ユーザーの利便性の高いデジタル複合機１を実現できる。
【００９７】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００９８】
１：デジタル複合機、    １０：制御部、    １１：スキャナ、    １２：画像形成部、    １３：メモリ、    １４：画像処理部、    １５：用紙搬送部、    １６：操作パネル、    １７：用紙検知センサ、    １８：用紙サイズ検知センサ、    １０１：用紙サイズ／タイプ確認部、    １０２：用紙サイズ変更部、    １２０：出力制御部、    １２１：現像部、    １２２：転写部、    １２３：定着部、    １６１：表示操作部、    １６２：物理操作部
【図１】
2020138441.tif 000003
【図２】
2020138441.tif 000004
【図３】
2020138441.tif 000005
【図４】
2020138441.tif 000006
【図５】
2020138441.tif 000007
【図６】
2020138441.tif 000008
【図７】
2020138441.tif 000009
【図８】
2020138441.tif 000010
【図９】
2020138441.tif 000011
【図１０】
2020138441.tif 000012
【図１１】
2020138441.tif 000013
【図１２】
2020138441.tif 000014
【図１３】
2020138441.tif 000015
【図１４】
2020138441.tif 000016
【図１５】
2020138441.tif 000017